(57)【要約】  自身から指上げ式タブ（２４）が延びる主パネル（２２）を備える剥離可能ラベル（２０）が開示される。少なくとも指上げ式タブ（２４）は、第１及び第２フィルム（２８、３４）を有する積層体を備える。積層体は、指上げ式タブ（２４）を屈曲させるように構成される。自身から指上げ式タブ（２４）が延びる主パネル（２２）を備える剥離可能ラベル（２０）も開示される。ラベルは、主パネル（２２）及び指上げ式タブ（２４）の少なくとも一部に広がる永久折り目フィルム（３０）を含む。永久折り目フィルム（３０）はデッドホールド性能を有し、指上げ式タブ（２４）の少なくとも一部を主パネル（２２）の平面から偏向させるように永久折り目フィルム（３０）に筋目（２５）が形成される。【選択図】図４
2017517037.tif 000002
【特許請求の範囲】
【請求項１】
自身から指上げ式タブが延びる主パネルを備える剥離可能ラベルであって、
ラベルが前記主パネル及び前記指上げ式タブの少なくとも一部に広がる永久折り目フィルムを含み、前記永久折り目フィルムはデッドホールド性能を有し、前記指上げ式タブの少なくとも一部を前記主パネルの平面から偏向させるように前記永久折り目フィルムに筋目が形成される、
剥離可能ラベル。
【請求項２】
前記剥離可能ラベルは、少なくとも一方の層がデッドホールド性を有する上側層及び下側層を備える、請求項１に記載の剥離可能ラベル。
【請求項３】
前記筋目が前記主パネルと前記指上げ式タブとの間の接合部に位置している、請求項１又は２に記載の剥離可能ラベル。
【請求項４】
前記永久折り目フィルムがセルロースフィルムを備える、請求項１〜３のいずれか一項に記載の剥離可能ラベル。
【請求項５】
前記永久折り目フィルムがセルロースアセテートフィルムを備える、請求項１〜４のいずれか一項に記載の剥離可能ラベル。
【請求項６】
自身から指上げ式タブが延びる主パネルを備える剥離可能ラベルであって、
少なくとも前記指上げ式タブが第１フィルム及び第２フィルムを有する積層体を備え、該積層体が前記指上げ式タブを屈曲させるように構成される、
剥離可能ラベル。
【請求項７】
少なくとも前記主パネルが離型フィルム上に設けられている、請求項６に記載の剥離可能ラベル。
【請求項８】
前記積層体は、前記指上げ式タブが平坦であるときに、前記第２フィルムがタブの平面に対して平行な方向に屈曲力を前記第１層に及ぼすように構成される、請求項６又は７に記載の剥離可能ラベル。
【請求項９】
前記屈曲力は、少なくとも前記指上げ式タブが延びる方向に対して実質的に平行な方向に及ぼされる、請求項８に記載の剥離可能ラベル。
【請求項１０】
前記屈曲力は、少なくとも前記指上げ式タブが延びる方向に対して実質的に直交する方向に及ぼされる、請求項８又は９に記載の剥離可能ラベル。
【請求項１１】
前記指上げ式タブが平坦であるとき、前記第２フィルムが前記第１フィルムに対して張力をかけられる、請求項６〜１０のいずれか一項に記載の剥離可能ラベル。
【請求項１２】
前記第１フィルム及び／又は第２フィルムが弾性的に変形可能である、請求項６〜１１のいずれか一項に記載の剥離可能ラベル。
【請求項１３】
前記第２フィルムが前記指上げ式タブの領域にのみ設けられる、請求項６〜１２のいずれか一項に記載の剥離可能ラベル。
【請求項１４】
前記第２フィルムが前記指上げ式タブと実質的に同一の形状及び／又はサイズである、請求項６〜１３のいずれか一項に記載の剥離可能ラベル。
【請求項１５】
前記第２フィルムが前記第１フィルムの上側表面上に設けられている、請求項６〜１４のいずれか一項に記載の剥離可能ラベル。
【請求項１６】
前記指上げ式タブの縁部又は隅部が屈曲させられる、請求項６〜１５のいずれか一項に記載の剥離可能ラベル。
【請求項１７】
前記指上げ式タブ全体が屈曲させられる、請求項６〜１６のいずれか一項に記載の剥離可能ラベル。
【請求項１８】
前記第１フィルム及び／又は第２フィルムがポリマ材料を含む、請求項６〜１７のいずれか一項に記載の剥離可能ラベル。
【請求項１９】
前記第１フィルム及び／又は第２フィルムは、ポリプロピレン、二軸配向ポリプロピレン、ポリエステル、又はポリエチレンテレフタレートを含む、請求項６〜１８のいずれか一項に記載の剥離可能ラベル。
【請求項２０】
前記第２フィルムが張力を受けて前記第１フィルムに適用される、請求項６〜１９のいずれか一項に記載の剥離可能ラベル。
【請求項２１】
前記第２フィルムが前記指上げ式タブの広がりの方向に対して直交する方向に張力を受けて前記第１フィルムに適用される、請求項２０に記載の剥離可能ラベル。
【請求項２２】
前記第２フィルムは熱収縮フィルムである、請求項６〜２１のいずれか一項に記載の剥離可能ラベル。
【請求項２３】
前記熱収縮フィルムは、前記指上げ式タブの広がりの方向に対して平行な方向及び直交する方向の双方において均衡のとれた収縮を受けるように配置される、請求項２２に記載の剥離可能ラベル。
【請求項２４】
前記熱収縮フィルムは、タブの広がりの方向に対して平行な方向において優先的な収縮を受けるように配置される、請求項２２又は２３に記載の剥離可能ラベル。
【請求項２５】
前記第１フィルムは、前記主パネルを少なくとも部分的に画定する、請求項６〜２４のいずれか一項に記載の剥離可能ラベル。
【請求項２６】
ラベルの下側表面は、接着剤を具備する、請求項１〜２５のいずれか一項に記載の剥離可能ラベル。
【請求項２７】
前記接着剤は、前記主パネルの下側表面上にのみ設けられている、請求項２６に記載の剥離可能ラベル。
【請求項２８】
前記指上げ式タブの下側表面は、接着剤が無いか、又は、接着剤弱体化層を具備する、請求項２６又は２７に記載の剥離可能ラベル。
【請求項２９】
前記指上げ式タブの幅は、前記主パネルの幅未満である、請求項１〜２８のいずれか一項に記載の剥離可能ラベル。
【請求項３０】
ラベルは、パッケージを開くための開口ラベルである、請求項１〜２９のいずれか一項に記載の剥離可能ラベル。
【請求項３１】
それぞれ請求項１〜３０のいずれか一項に記載の複数の剥離可能ラベルが裏材シートに取外し可能に接着された状態で巻回された裏材シートを備える、剥離可能ラベルの巻回リール。
【請求項３２】
少なくとも１つの物品又は物質のためのパッケージであって、
パッケージ開口を有する主パッケージ部分と、
請求項１〜３１のいずれか一項に記載の剥離可能ラベルであって、前記主パネルが前記パッケージ開口を覆い且つ前記指上げ式タブの少なくとも一部が前記主パッケージ部分から離間して屈曲又は偏向された状態で、前記主パッケージ部分に接着される剥離可能ラベルと、
を備え、
使用に際し、前記主パネルを前記指上げ式タブによって前記主パッケージ部分から引き離すと、前記パッケージ開口が露出される、
パッケージ。
【請求項３３】
請求項３２に記載のパッケージを備える、タバコ製品。
【請求項３４】
請求項２５のいずれか一項又は請求項６〜２５のいずれか一項に従属するときにおける請求項２６〜３０のいずれか一項に記載の剥離可能ラベルを製造する方法であって、
主パネルの領域と指上げ式タブの領域とを有する第１フィルムを形成する工程と、
前記指上げ式タブの領域に第２フィルムを結合する工程と、
前記剥離可能ラベルの前記指上げ式タブを屈曲させるように前記第２フィルムの層が屈曲力を前記第１層に及ぼす工程と、
を含む、方法。
【請求項３５】
前記第１フィルムは、裏材層上に支持される第１フィルム基材の形態であり、且つ、前記第２フィルムは、前記第１フィルム基材に結合されてラベルストック基材を形成する第２フィルム基材の形態である、請求項３４に記載の方法。
【請求項３６】
更に、前記ラベルストック基材から少なくとも１つの剥離可能ラベルを切出す工程を含む、請求項３５に記載の方法。
【請求項３７】
前記ラベルストック基材は巻取り紙の形態である、請求項３５又は３６に記載の方法。
【請求項３８】
前記第２フィルム基材は、巻取り紙方向において前記第１フィルム基材に適用される、請求項３５〜３７のいずれか一項に記載の方法。
【請求項３９】
前記第２フィルム基材は、巻取り紙方向に張力を受けて前記第１フィルム基材に適用される、請求項３５〜３８のいずれか一項に記載の方法。
【請求項４０】
更に、前記ラベルストック基材から複数の剥離可能ラベルを切出して巻取り紙方向に並んで配置された複数の剥離可能ラベルを形成する工程を含む、請求項３５〜３９のいずれか一項に記載の方法。
【請求項４１】
該又は各剥離可能ラベルは、前記ラベルストック基材から型抜きされる、請求項４０に記載の方法。
【請求項４２】
複数の剥離可能ラベルの指上げ式タブは、巻取り紙方向に対して横断的に整列される、請求項３５〜４１のいずれか一項に記載の方法。
【請求項４３】
複数の剥離可能ラベルの各指上げ式タブの幅方向は、巻取り紙方向に対して平行である、請求項３５〜４２のいずれか一項に記載の方法。
【請求項４４】
前記第２フィルムは熱収縮フィルムであり、前記方法は、更に、前記第１フィルムに結合した後に熱を前記第２フィルムに加える工程を含む、請求項３４〜４３のいずれか一項に記載の方法。
【請求項４５】
熱は、切出し工程の間に又は切出し工程の後に加えられる、請求項３６又は４１に従属するときにおける請求項４４に記載の方法。
【請求項４６】
請求項１〜５のいずれか一項に記載された、又は、請求項１〜５のいずれか一項に従属するときにおける請求項２６〜３０のいずれか一項に記載された、剥離可能ラベルを製造する方法であって、
主パネルの領域と指上げ式タブの領域とを有するラベルフィルムを形成する工程であって、該ラベルフィルムがデッドホールド性能を有する永久折り目フィルムを備え、該永久折り目フィルムが前記主パネル及び前記指上げ式タブの少なくとも一部に広がる、工程と、
前記指上げ式タブの少なくとも一部を前記主パネルの平面から偏向させるように前記永久折り目フィルムに筋目を形成する工程と、
を含む、方法。
【請求項４７】
前記ラベルフィルムは、ラベルストック基材を形成するように裏材層上に支持されるラベルフィルム基材の形態である、請求項４６に記載の方法。
【請求項４８】
更に、前記ラベルストック基材から少なくとも１つの剥離可能ラベルを切出す工程を含む、請求項４７に記載の方法。
【請求項４９】
前記ラベルストック基材は巻取り紙の形態である、請求項４７又は４８に記載の方法。
【請求項５０】
更に、前記巻取り紙方向に並んで配置される複数の剥離可能ラベルを形成するように前記ラベルストック基材から複数の剥離可能ラベルを切出す工程を備える、請求項４９に記載の方法。
【請求項５１】
該又は各剥離可能ラベルは、前記ラベルストック基材から型抜きされる、請求項５０に記載の方法。
【請求項５２】
前記筋目は、前記切出し工程の間に又は該切出し工程の後に形成される、請求項４８又は５０に記載の方法。
【請求項５３】
請求項３４又は４６に記載の且つ実質的に本明細書に記載の方法。
【請求項５４】
添付図面に関して実質的に本明細書に記載の剥離可能ラベル、パッケージ、又は、剥離可能ラベルの巻回リール。
【発明の詳細な説明】
【技術分野】
【０００１】
本発明は、剥離可能ラベルに関し、特に、排他的にではなく、パッケージを開くための開口ラベルの形態の剥離可能ラベルに関する。本発明はさらに、斯かる剥離可能ラベルを組込んだパッケージ及び剥離可能ラベルを製造する方法に関する。
【背景技術】
【０００２】
新鮮さ及び／又は完全性を保つために、密封シールされたパッケージの状態で製品を提供することが知られている。斯かるパッケージは、フィルム材料から形成された所謂「フィルム状パケット（filmic packet）」とすることができる。フィルム状パケットは典型的に、製品をパケットから取出せるように開口を具備する。これまでに考慮された配置において、開口は開口パネルを画定するフィルム状パケットにおいて予め形成された切込みであり、開口ラベルが開口／開口パネル上に接着される。開口ラベルがフィルム状パケットから引き離されたとき、開口パネルがフィルム状パケットから分離されて開口を露出する。製品の新鮮さ及び／又は完全性を保つために、ラベルは、再封可能であるので、開口上に再接着できる。斯かる配置は、例えば欧州特許１１０２７１２号明細書に開示されている。
【発明の概要】
【発明が解決しようとする課題】
【０００３】
典型的に、開口ラベルは、該ラベルの主パネルから突出してフィルム状パケットに接着されない指上げ式タブを有する。ユーザは、タブを把持して開口ラベルをフィルム状パケットから剥離できる。このことは幾分か面倒な操作である可能性がある。タブは、小さいかもしれないし、フィルム状パケットに接触して横たわるかもしれないので、ユーザは、ラベルを剥離するのに十分にしっかりとタブを把持できる前に、タブを持上げるために指の爪を使用しなければならない。
【課題を解決するための手段】
【０００４】
一態様によれば、自身から指上げ式タブが延びる主パネルを備える剥離可能ラベルであって、少なくともタブが第１及び第２フィルムを有する積層体を備え、該積層体が指上げ式タブを屈曲させるように構成される、剥離可能ラベルが提供される。主パネルは、離型フィルム上に設けることができる。離型フィルムは、ポリマ材料を備える。離型フィルムは、ポリプロピレン、二軸配向ポリプロピレン、ポリエステル、又はポリエチレンテレフタレートを備えることができる。指上げ式タブ及び主パネルは、接合線等にて交わることができる。指上げ式タブ及び主パネルは、一体的に形成されてもよい。指上げ式タブは、接合線に対して直交する方向に延びることができる。指上げ式タブの幅方向は、接合線に対して平行であり、且つ、指上げ式タブの広がりの方向に対して直交できる。
【０００５】
積層体は、指上げ式タブが平坦であるときに、第２フィルムが、タブの平面に対して平行な方向に屈曲力を第１層に及ぼすように構成できる。屈曲力は、少なくとも、指上げ式タブが延びる方向に対して実質的に平行な方向に及ぼすことができる。屈曲力は、少なくとも、指上げ式タブが延びる方向に対して実質的に直交する方向に及ぼしてもよい。指上げ式タブが平坦であるとき、第２フィルムが第１フィルムに対して張設されてもよい。第１及び／又は第２フィルムは弾性的に変形可能である。
【０００６】
第２フィルムは、指上げ式タブの領域にのみ設けることができる。第２フィルムは、指上げ式タブと実質的に同一の形状及び／又はサイズとすることができる。第２フィルムは、第１フィルムの上側表面上に設けることができる。
【０００７】
指上げ式タブの縁部又は隅部は屈曲させることができる。指上げ式タブ全体が屈曲させられてもよい。
【０００８】
第１及び／又は第２フィルムはポリマ材料を備えることができる。第１及び／又は第２フィルムは、ポリプロピレン、二軸配向ポリプロピレン、ポリエステル、又はポリエチレンテレフタレートを備えることができる。
【０００９】
第２フィルムは張力を受けて第１フィルムに適用できる。第２フィルムは、指上げ式タブの広がりの方向に対して直交する方向に張力を受けて第１フィルムに適用できる。
【００１０】
第２フィルムは熱収縮フィルムとすることができる。熱収縮フィルムは、指上げ式タブの広がりの方向に対して平行な方向及び直交する方向の双方において均衡のとれた収縮を受けるように配置できる。熱収縮フィルムは、タブの広がりの方向に対して平行な方向において優先的な収縮を受けるように配置できる。
【００１１】
第１フィルムは、主パネルを少なくとも部分的に画定できる。
【００１２】
第２の態様によれば、自身から指上げ式タブが延びる主パネルを備える剥離可能ラベルであって、該ラベルは、主パネル及び指上げ式タブの少なくとも一部に広がる永久折り目フィルムを含み、永久折り目フィルムはデッドホールド性能を有し、指上げ式タブの少なくとも一部を主パネルの平面から偏向させるように永久折り目フィルムに筋目が形成される、剥離可能ラベルが提供される。
【００１３】
剥離可能ラベルは、少なくとも一方の層がデッドホールド性能を有する上側層及び下側層を備えることができる。指上げ式タブ及び主パネルは、接合線等にて交わることができる。指上げ式タブ及び主パネルは、一体的に形成できる。指上げ式タブは、接合線に対して直交する方向に延びることができる。指上げ式タブの幅方向は、接合線に対して平行であり、且つ、指上げ式タブの広がりの方向に対して直交できる。
【００１４】
筋目は、主パネルと指上げ式タブとの間の接合部に位置できる。永久折り目フィルムはセルロースフィルムを備えることができる。永久折り目フィルムは、セルロースアセテートフィルムを備えることができる。
【００１５】
ラベルの下側表面は、接着剤を具備できる。接着剤は、主パネルの下側表面上に設けることができる。指上げ式タブの下側表面は、接着剤が無くてもよいし、又は、接着剤弱体化層を具備する。指上げ式タブの幅は、主パネルの幅未満とすることができる。
【００１６】
ラベルは、パッケージを開くための開口ラベルとすることができる。
【００１７】
最新技術の剥離可能ラベルの指上げ式タブは、典型的に、パッケージ内に挿入されているときにラベルに空気のジェットを吹付ける工程によってラベルから隆起される。本出願人は、驚いたことに且つ有利に、本発明のこの態様による指上げ式タブが、永久折り目フィルムのために、ラベルから離間して自然に屈曲又は偏向され、この付加的な工程の必要性を除去することを発見した。本発明はさらに、それぞれ本明細書の任意の記述に従う複数の剥離可能ラベルが裏材シートに取外し可能に接着された状態で巻回された裏材シートを備える、剥離可能ラベルの巻回リールに関する。
【００１８】
別の態様によれば、少なくとも１つの物品又は物質のためのパッケージであって、パッケージ開口を有する主パッケージ部分と、本明細書の任意の記述に従う剥離可能ラベルであって、主パネルがパッケージ開口を覆い、且つ、指上げ式タブの少なくとも一部が主パッケージ部分から離間して屈曲又は偏向される状態で、主パッケージ部分に接着される剥離可能ラベルと、を備え、使用に際し、主パネルを指上げ式タブによって主パッケージ部分から引き離すと、パッケージ開口が露出される、パッケージが提供される。
【００１９】
本発明はさらに、本明細書の任意の記述に従うパッケージを備える、タバコ製品に関する。
【００２０】
更なる態様によれば、第１の態様に従う剥離可能ラベルを製造する方法であって、主パネルの領域と指上げ式タブの領域とを有する第１フィルムを形成する工程と、指上げ式タブの領域に第２フィルムを結合する工程と、剥離可能ラベルの指上げ式タブを屈曲させるように第２フィルムの層が屈曲力を第１層に及ぼす工程と、を含む、方法が提供される。
【００２１】
第１フィルムは、裏材層上に支持される第１フィルム基材の形態とすることができる。第２フィルムは、第１フィルム基材に結合されてラベルストック基材を形成する第２フィルム基材の形態とすることができる。
【００２２】
方法は、更に、ラベルストック基材から少なくとも１つの剥離可能ラベルを切出す工程を備える。
【００２３】
ラベルストック基材は、巻取り紙の形態とすることができる。第２フィルム基材は、巻取り紙方向において第１フィルム基材に適用できる。第２フィルム基材は、巻取り紙方向に張力を受けて第１フィルム基材に適用できる。方法は、更に、ラベルストック基材から複数の剥離可能ラベルを切出して巻取り紙方向に並んで配置された複数の剥離可能ラベルを形成する工程を含む。該又は各剥離可能ラベルは、ラベルストック基材から型抜きできる。
【００２４】
複数の剥離可能ラベルの指上げ式タブは、巻取り紙方向に対して横断的に整列できる。複数の剥離可能ラベルの各指上げ式タブの幅方向は、巻取り紙方向に対して平行にすることができる。
【００２５】
第２フィルムは熱収縮フィルムとすることができる。方法は、更に、第１フィルムに結合した後に第２フィルムに対して熱を加える工程を含むことができる。熱は、切出し工程の間に又は切出し工程の後に加えることができる。
【００２６】
更に別の態様によれば、第２の態様に従って剥離可能ラベルを製造する方法であって、主パネルの領域と指上げ式タブの領域とを有するラベルフィルムを形成する工程であって、ラベルフィルムがデッドホールド性能を有する永久折り目フィルムを備え、永久折り目フィルムが主パネル及び指上げ式タブの少なくとも一部に広がる、工程と、指上げ式タブの少なくとも一部を主パネルの平面から偏向させるように永久折り目フィルムに筋目を形成する工程と、を含む、方法が提供される。
【００２７】
ラベルフィルムは、ラベルストック基材を形成するように裏材層上に支持されるラベルフィルム基材の形態とすることができる。方法は、更に、ラベルストック基材から少なくとも１つの剥離可能ラベルを切出す工程を含むことができる。ラベルストック基材は巻取り紙の形態とすることができる。方法は、更に、巻取り紙方向に並んで配置された複数の剥離可能ラベルを形成するようにラベルストック基材から複数の剥離可能ラベルを切出す工程を含むことができる。該又は各剥離可能ラベルは、ラベルストック基材から型抜きできる。筋目は、切出し工程の間に又は切出し工程の後に形成できる。
【００２８】
記載されたフィルムはいずれも、単一層又は複数層（すなわち積層体）とすることができる。
【００２９】
本発明は、相互に排他的である特徴の組み合わせを除き、本明細書において言及された特徴及び／又は限定の任意の組合せを備えることができる。
【００３０】
次に、添付図面を参照して本発明の実施形態を例示によって説明する。
【図面の簡単な説明】
【００３１】
【図１】タバコの硬質パックを示す概略図である。
【図２】ヒンジ蓋が開いた状態の図１のパックの概略図である。
【図３】内側のフィルム状パケットが開いた状態の図２のパックの概略図である。
【図４】剥離可能な開口ラベルの概略的斜視図および概略的端面図である。
【図５】図４のＡ−Ａ断面の概略図である。
【図６】フィルム状パケットに適用した図４のラベルの概略的断面図である。
【図７】フィルム状パケットに適用した図４のラベルの概略的平面図である。
【図８】フィルム状パケットから部分的に剥離した図４のラベルの概略的断面図である。
【図９】フィルム状パケットから部分的に剥離した図４のラベルの概略的平面図である。
【図１０】フィルム状パケットから完全に剥離した図４のラベルの概略的断面図である。
【図１１】フィルム状パケットから完全に剥離した図４のラベルの概略的平面図である。
【図１２】図４のラベルを製造する製造工程の概略図である。
【図１３】ラベルの第２実施形態の概略的斜視図である。
【図１４】ラベルの第３実施形態の概略的斜視図である。
【図１５】図１４のＢ−Ｂ断面の概略図である。
【発明を実施するための形態】
【００３２】
図１は、主ボックス部分１０及びヒンジ蓋１２を備える、１パックのタバコの形態のパッケージ１を示す。図２に示すように、ヒンジ蓋１２は、タバコを収容する密封されたフィルム状パケット１４を露出するために開くことができる。開口ラベル２０の形態の剥離可能ラベルは、（不可視の）開口上においてフィルム状パケット１４に接着される。フィルム状パケット１４を開くために、開口ラベル２０がフィルム状パケット１４から引き離されて開口１６（図３）を露出し、これによって、タバコ１８がパケット１４から取出されることを許容する。タバコ１６が取出されたとき、ヒンジ蓋１２をフィルム状パケット１４上に再び閉じることができる。
【００３３】
図４に示すように、開口ラベル２０は、概ね矩形であり、且つ、主パネル部分２２と、指上げ式部分又は指上げ式タブ２４とを備える。主パネル部分２２及び指上げ式タブ２４は、相互に連続的であり、且つ、仮想的な接合線にて交わる。指上げ式タブ２４は、接合線に対して直交する方向に主パネル２２から延び、且つ、主パネル２２より小さい幅を有する。タブ２４の幅方向は、接合線に対して平行である。詳細に後述するように、指上げ式タブ２４の少なくとも一部、この場合には隅縁部２４ａ、２４ｂは、主パネル２２の平面から離間して屈曲されて、隆起された指上げ式タブ２４を提供する。これにより、ラベル２０の使い易さが向上する。本実施形態におけるラベル２０は、約４５ｍｍ×４５ｍｍであるが、他の適切な寸法及び形状、例えば矩形、楕円形、及び正方形が使用できるだろう。
【００３４】
次に図５を参照すると、ラベル２０は、下側フィルム３０及び上側フィルム３２を備える積層構造の基部（第１）フィルム２８を備える。積層基部フィルム２８は、主パネル部分２２と指上げ式タブ２４との双方を画定する。下側フィルム３０は刷り重ねられ、且つ、上側フィルム３２は透明であり、これにより、保護層を提供する。本実施形態において、下側フィルム３０は、約６０μｍの厚みを有する白色のポリプロピレンの層であり、且つ、上側フィルム３２は、約２０μｍの厚みを有する透明なポリプロピレンの層である。他の材料又は厚みが使用され得ることを理解すべきである。他の実施形態において、基部フィルム２８は単一層のフィルムとすることができることを留意すべきである。下側フィルム３０には、任意の適切な色、グラフィック、デザイン、又は、文字が直接的に印刷される。本実施形態において、下側フィルム３０には、下側フィルムの表面全体に広がるベタ一色と、ブランド情報とが印刷される。
【００３５】
図５に示すように、基部フィルム２８の上側表面、特に上側フィルム３２の上側表面には、フィルムのストリップの形態の付加的な張設（第２）フィルム３４が接着され、この場合に張設フィルムは、指上げ式タブ２４のみに広がる。張設フィルム３４は、従って、指上げ式タブ２４と同一の形状及びサイズである。本実施形態における張設フィルム３４は、約２０μｍの厚みを有する二軸配向ポリプロピレン（ＢＯＰＰ）の単一透明層である。他の実施形態において、張設フィルム３４は、積層構造とすることができ、任意の適切な材料又は厚みとすることができるだろう。指上げ式タブ２４が平坦である（すなわち、主パネル２２の平面内に在る）とき、張設フィルム３４は、タブ２４の平面に対して平行な平面内における方向に基部フィルム２８に対して張設される。従って、指上げ式タブ２４が平坦であるとき、張設フィルム３４が基部フィルム２８に対して力を加え、指上げ式タブ２４を屈曲させることにより、隆起された指上げ式タブ２４を提供する。本実施形態において、張設フィルム３４は、タブ２４の平面に対して平行な平面内において、且つ、主パネル２２からのタブ２４の広がりの方向に対して直交する方向において（すなわち、指上げ式タブ２４の幅方向において）、力を加える。これにより、隅縁部２４ａ、２４ｂがラベル２０の主平面から離間して上方に屈曲する。フィルム３４は、任意の他の適切な方向において基部フィルム２８に力を加えることができることを理解すべきである。例えば、張設フィルムは、タブ２４の広がりの方向に対して平行な（すなわち、幅方向に対して直交する）方向に張設できるか、又は、張設フィルムは、複数の方向又は全ての方向において力を基部フィルム２８に加えることができるだろう。
【００３６】
基部フィルム２８の下側表面、特に、主パネル２２の領域における下側フィルム３０の下側表面は、接着剤被覆３６を備えている。指上げ式タブ２４の領域における下側フィルム３０の下側表面は、接着剤が無い。後述するように、接着剤被覆３６は、開口ラベル１０がパッケージ開口上に製品パッケージに対して接着されることを許容する。接着剤被覆３６は、連続的又は不連続的な層とすることができる。接着剤被覆３６は、感圧接着剤であり、ゴム系又はアクリル系の接着剤、ホットメルト、乳濁液、溶媒系又はＵＶホットメルト接着剤とすることができる。当業者であれば明らかなように、他の適切な接着剤を使用できる。更に、種々の層を一緒に接着するために異なる接着剤を使用できる。
【００３７】
図６及び図７に最良に示すように、使用に際し、開口ラベル２０は、パッケージ開口１６にわたり、パッケージ基材、この場合にはフィルム状パケット１４のフィルム状基材４２に接着される。主パネル２２は、パッケージ開口１６を覆うので、開口１６より大きく、隅縁部２４ａ、２４ｂは、フィルム状パケット１４から離間して屈曲又は偏向される。本実施形態において、開口ラベル２０は、フィルム状パケットが密封されるように開口１６を密封する。幾つかの実施形態において、ラベル２０は開口１６を密封することができる。パッケージ開口１６は、フィルム状基材における部分的切込み３８により画定され、部分的切込みが開口１６に配設された開口パネル４０を画定する。パッケージを開く前において、開口パネル４０は、一連の幅が狭い連結点によって主フィルム状基材４２に対して一体的に接続されている。部分的切込み３８は、フィルム状基材４２の厚み全体を貫通するが、開口パネル４０の周囲全体に広がらないことから、開口パネル４０を所定位置に保持する連結点を形成する。部分的切込み３８は、型抜きによって、又は、任意の他の適切な技術によって形成できる。一実施形態において、部分的切込み３８はフィルム状基材に形成され、開口ラベル２０が該基材に接着され、次いで、該基材が一束のタバコの周りに包装されてフィルム状パケット１４を形成する。
【００３８】
開口ラベル２０は、主パネル２２の中央の下側表面が接着剤被覆３６によってフィルム状基材の開口パネル４０の上側表面に永続的に接着されるように、フィルム状基材に接着される。主パネル２２の周囲の下側表面は、接着剤被覆３６によって主フィルム状基材４２に取外し可能に接着される。指上げ式タブ２４の下側表面は、接着剤が無いか又は接着剤弱体化層を具備するので、フィルム状基材に接着されない。張設された付加的フィルム層３４の作用により、指上げ式タブ２４が「起立」する。
【００３９】
次に図８及び図９を参照すると、フィルム状パケット１４を開くために、ユーザは、接着剤無しの指上げ式タブ２４を把持して、剥離可能ラベル２０をフィルム状パケット１４から引き離す。指上げ式タブ２４の隅縁部は、ラベル２０の主平面から外側にフィルム状パケット１４から離間して屈曲されているので、ユーザがタブ２４を把持するのは特に容易である。ラベル２０がフィルム状パケット１４から引き離される際に、主パネル２２の中央に永続的に接着された開口パネル４０が主パッケージ部分４２から引き離され、連結点が破断されて開口１６を露出する。開口パネル４０は、主パネルが永続的に接着されるので、ラベル２０の主パネル２２に残る。図１０及び図１１に示すように、ラベル２０は、ラベルがフィルム状パケット１４から完全に分離されるまで、フィルム状パケット１４から引き離される。このことが結果的に完全に露出されたパッケージ開口１６をもたらし、これによって、フィルム状パケット１４内のタバコ（図３）へのアクセスを許容する。
【００４０】
次に、上述したラベル２０を製造する方法を説明する。
【００４１】
図１２を参照すると、基部（第１）フィルム基材５０の巻取り紙が、裏材層又は離型フィルム上に設けられている。基部フィルム基材５０は、製造すべきラベル２０の基部フィルム２８と同一構造を有するので、下側フィルム及び上側フィルムを備える。基部フィルム基材５０の巻取り紙は、リール上に設けられると共に、ラベルの製造中に、巻取り紙が巻出されて巻取り紙方向Ｗに製造機械を通って引出される。基部フィルム基材５０の巻取り紙が製造機械を通って引出される際に、付加的（第２）フィルムの連続的な張設ストリップ５２が基部フィルム基材５０の上側表面に接着又は結合される。張設ストリップ５２は、製造すべきラベル２０の付加的な張設フィルム３４と同一構造である。ストリップ５２は、弾性的に伸縮可能であり、且つ、巻取り紙方向Ｗに張力を受けて基部フィルム基材５０に適用されるので、巻取り紙方向Ｗに収縮する傾向を有する。このことは、ストリップ５２が巻取り紙方向Ｗに力を基部フィルム基材５０に及ぼすことを意味する。ストリップ５２は、指上げ式タブの領域２４’上において（すなわち、指上げ式タブ２４の最終的な位置と一直線上において）のみ、基部フィルム基材５０に適用される。張設ストリップ５２は、主パネルの領域２２’上には適用されないので、張設ストリップ５２の縁部は、主パネルの領域２２'の縁部と整列される。
【００４２】
基部フィルム基材５０にストリップ５２を適用すると、自身から個々のラベル２０を型抜きできるラベルストック基材が形成される。個々のラベル２０は、基部フィルム基材５０及びストリップ５２を貫通するが、裏材層を貫通しない型抜きによって、ラベルストックから型抜きされる。型抜きは、基部フィルム２８のみによって形成される主パネル２２と、基部フィルム２８と張設ストリップによって形成される付加的な張設フィルム３４とによって形成される指上げ式タブ２４と、を有するラベルを形成する。型抜き操作に続き、残がい（すなわちラベル２０を形成しないラベルストックの部分）が裏材層から剥離される。（巻取り紙方向に）並んで接着された複数の別個のラベル２０を有する裏材層が、次いでリールに巻回される。
【００４３】
図７に示すように、個々のラベル２０が裏材層から剥離され、基材、例えばフィルム状製品パッケージに適用されたとき、指上げ式タブ２４の幅方向に基部フィルム２８に対して張設された張設ストリップによって形成される張設フィルム３４が、タブ２４の隅縁部２４ａ、２４ｂを、ラベル２０の主平面から離間して上方に屈曲させる。
【００４４】
図１３は、第１実施形態に類似する剥離可能ラベル２０の第２実施形態を示す。但し、本実施形態において、張設フィルム３４は、熱収縮フィルムの単一層、例えば２０μｍの厚みを有するポリエチレンテレフタレート（ＰＥＴ）フィルムである。後述するように、本実施形態において、張設フィルム３４は、縁部２４ｃを含む指上げ式タブ２４全体を、主パネル２２に対して屈曲させる。
【００４５】
ラベル２０は、図１２に関して第１実施形態について前述したのと同様の方法を用いて製造される。但し、張設ストリップ５２を基部層基材５０に適用するのとは対照的に、熱収縮ストリップ５２が基部層基材５０に適用される。本実施形態において、熱収縮ストリップ５２は張力を受けて適用されないが、他の実施形態において、それは可能である。ラベルストックから個々のラベル２０を型抜きした後、熱収縮フィルムの領域において制御された様式で、熱がラベル２０に加えられる。熱は、型抜きの直後に加えるか、又は、別個の段階に加えることができるだろう。熱の利用により、フィルムは指上げ式タブ２４の広がりの方向に対して平行な方向（すなわちタブ２４の幅方向に対して直交する方向）に優先的に収縮し、結果的に指上げ式タブ２４全体がラベル２０の主平面から離間して屈曲される。これは、収縮によりフィルム３４が、結合された基部フィルム２８に対して短縮化し、指上げ式タブ２４を屈曲させるからである。指上げ式タブ２４が平坦であるとき、フィルム３４は、延伸された際に基部フィルム２８に対して張力をかけた状態になる。指上げ式タブ２４の広がりの方向に対して平行な方向に好適に優先的に収縮するのとは対照的に、フィルムは、熱の作用下で、指上げ式タブ２４の広がりの方向に対して直交する方向に収縮するように選択若しくは適用できるか、又は、フィルムは、全ての方向に均衡のとれた収縮を受けることができるだろう。これにより、指上げ式タブ２４の隅縁部が、指上げ式タブ２４の残部の代わりに又は残部に加えて屈曲する。
【００４６】
図１４及び図１５は、第１及び第２実施形態のラベルと幾分か類似するラベル２０の第３実施形態を示す。但し、指上げ式タブ２４を屈曲させる張設フィルム３４が無い。代わりに、基部フィルム２８の一部を形成する下側フィルム３０がデッドホールド性（dead fold property）を有する材料である。永久折り目フィルムが主パネル２２及び指上げ式タブ２４にわたる。本実施形態において、永久折り目下側フィルム３０は、セルロース材料、例えばセルロースアセテートである。但し、デッドホールド性を有する他のフィルム又は層が使用できるだろう。製造工程中に、指上げ式タブ２４は、主パネル２２から偏向され、これによって、筋目２５を形成するように、折畳まれる。筋目２５は、指上げ式タブ２４と主パネル２２との間の境界又はフィルム線に沿っている。永久折り目下側フィルム３０のデッドホールド性能は、ラベル２０がこの筋目を保持し、指上げ式タブ２４が主パネル２２から「起立」するのを確実にする。永久折り目とは、概略的に、折り目を保持するために自発的には展開しない材料の能力を意味すると理解される。従って、永久折り目フィルム３０は、少なくとも一定程度まで折り目又は筋目２５を保持できる任意の適切なフィルムとすることができる。永久折り目フィルム３０及び永久折り目フィルムに形成された筋目の効果は、使用に際し、指上げ式タブ２４が、適用されるパッケージから隆起するので、指上げ式タブ２４を把持してラベルをパッケージから剥離するのがユーザにとって容易である、ということである。
【００４７】
前述した実施形態において、ラベル２０は、下側永久折り目フィルム３０及び上側フィルム３２を備える積層構造である。但し、他の実施形態において、ラベル２０は、デッドホールド性を有する単一層のフィルムから作成できる。例えば、ラベル２０は、セルロースアセテートフィルムの単一層とすることができるだろう。他の実施形態において、ラベル２０は、一層（すなわち上側層又は下側層）がデッドホールド性を有するか、又は、双方の層がデッドホールド性を有する、上側層及び下側層を備える積層構造とすることができるだろう。更なる実施形態において、ラベルは、少なくとも、主パネルと指上げ式タブとの間の境界（すなわち２つが交わる箇所）の一部上に横たわる付加的な永久折り目フィルムを備えてもよい。従って、付加的なフィルムは、（平面で見たときに）ラベルより小さくすることができる。全ての実施形態において、指上げ式タブが折畳まれ、又は、折畳まれるように配置されるので、使用に際して、適用されるパッケージ又は基材から隆起される。隆起された指上げ式タブは、永久折り目フィルムにおいて永続的な筋目を形成するように指上げ式タブを折畳むことによって形成される。永久折り目フィルムは永続的な筋目及び折り目を保持することので、指上げ式タブは隆起された形態を維持する。
【００４８】
剥離可能ラベルは、タバコを収容するフィルム状パケットを開くものと記載されてきたが、ラベルは他の種類のパッケージを開くのに使用できることを理解すべきである。例えば、ラベルは、乳児用ティッシュ、化粧用ティッシュ、又は、開口を生成することが必要な他の任意の種類の製品パッケージを開くのに使用できるだろう。更に、開口ラベルはフィルム状パケットを開くのに使用される必要はなく、厚紙ボックス等に設けたパッケージ開口を露出するのに使用できるだろう。更に、剥離可能ラベルは、パッケージを開くのに使用されなくてもよい。剥離可能ラベルは、隆起された指上げ部を有する再密封若しくは再閉ラベル、又は、情報等を露出するために剥離できるラベルとすることができる。本質的に、隆起された指上げ部は、任意の剥離可能ラベル（すなわち基材から剥離できるラベル）に適用できるだろう。
【００４９】
張設フィルムは、張力を受けて基部基材に適用されるか、又は、適用後に加熱によって張力をかけられることを記載してきた。しかし、平坦であるときに、フィルム又は層の一方が別の層に対して張力をかけられ、これによって、積層体を屈曲させる積層構造を提供するために、任意の適切な方法が使用できることを理解すべきである。例えば、フィルムを加熱してフィルムを収縮させる（これによってフィルムに張力をかける）のとは対照的に、フィルムは、別の手段によって、例えばＵＶ硬化によって又は化学工程によって、処理できるだろう。
【図１】
2017517037.tif 000003
【図２】
2017517037.tif 000004
【図３】
2017517037.tif 000005
【図４】
2017517037.tif 000006
【図５】
2017517037.tif 000007
【図６】
2017517037.tif 000008
【図７】
2017517037.tif 000009
【図８】
2017517037.tif 000010
【図９】
2017517037.tif 000011
【図１０】
2017517037.tif 000012
【図１１】
2017517037.tif 000013
【図１２】
2017517037.tif 000014
【図１３】
2017517037.tif 000015
【図１４】
2017517037.tif 000016
【図１５】
2017517037.tif 000017
【国際調査報告】
2017517037.tif 000018
2017517037.tif 000019
2017517037.tif 000020
2017517037.tif 000021